(57)【要約】【課題】画像の全体に含まれる各文字の大小関係は維持しつつ、表示時の拡大縮小率を変更する。【解決手段】少なくとも一つの文字の画像を含む画像情報を処理の対象として受け入れ、当該画像情報に含まれる文字の大きさを検出する。上記画像情報のうち、少なくとも一部を表示対象画像として抽出し、当該抽出された表示対象画像に含まれる文字の大きさと、上記検出された文字の大きさの情報と、予め定められた文字の大きさの範囲の情報とに基づいて、拡大縮小率を決定し、当該決定された拡大縮小率で、抽出された表示対象画像を拡大縮小して表示する。【選択図】図１
2010108389.tif 000002
【特許請求の範囲】
【請求項１】
少なくとも一つの文字の画像を含む画像情報を、処理の対象として受け入れる受入手段と、
前記受け入れた画像情報に含まれる文字の大きさを検出する検出手段と、
前記画像情報のうち、少なくとも一部を表示対象画像として抽出する抽出手段と、
前記抽出された表示対象画像に含まれる文字の大きさと、前記検出手段により検出された文字の大きさの情報と、予め定められた文字の大きさの範囲の情報とに基づいて、拡大縮小率を決定する決定手段と、
前記決定手段で決定された拡大縮小率で、前記抽出された表示対象画像を拡大縮小して表示する表示手段と、
を含むことを特徴とする画像表示装置。
【請求項２】
前記決定手段は、前記検出手段で検出された文字の大きさの最頻値を演算し、当該最頻値が、前記予め定められた文字の大きさの範囲に含まれる、予め定められた標準値となるよう、前記拡大縮小率を決定することを特徴とする請求項１記載の画像表示装置。
【請求項３】
前記決定手段は、拡大表示の指示を受けて、前記予め定められた文字の大きさの範囲の下限値を、より大きい値に補正して、前記範囲を変更することを特徴とする請求項１または２記載の画像表示装置。
【請求項４】
前記決定手段は、拡大縮小率を変更する指示を受けて、前記表示されている画像に含まれる文字の大きさに基づき、前記予め定められた文字の大きさの範囲の上限値または下限値のいずれかを補正の対象として定め、当該補正の対象と定めた前記範囲の上限値または下限値を変更して、前記範囲を変更することを特徴とする請求項１から３のいずれか一項に記載の画像表示装置。
【請求項５】
コンピュータを、
少なくとも一つの文字の画像を含む画像情報を、処理の対象として受け入れる受入手段と、
前記受け入れた画像情報に含まれる文字の大きさを検出する検出手段と、
前記画像情報のうち、少なくとも一部を表示対象画像として抽出する抽出手段と、
前記抽出された表示対象画像に含まれる文字の大きさと、前記検出手段により検出された文字の大きさの情報と、予め定められた文字の大きさの範囲の情報とに基づいて、拡大縮小率を決定する決定手段と、
前記決定手段で決定された拡大縮小率で、前記抽出された表示対象画像を拡大縮小して表示する表示手段と、
として機能させることを特徴とするプログラム。
【発明の詳細な説明】
【技術分野】
【０００１】
本発明は、画像表示装置及びプログラムに関する。
【背景技術】
【０００２】
動的なズームを行うシステムであって、利用者が選択したローカル領域に含まれるフォントサイズや、表示デバイスの解像度に基づいて適応的にズームレベルが決定されるシステムが、特許文献１に開示されている。
【特許文献１】米国特許出願公開第2007/015829号明細書
【発明の開示】
【発明が解決しようとする課題】
【０００３】
画像の全体に含まれる各文字の大小関係は維持しつつ、表示時の拡大縮小率を変更する。
【課題を解決するための手段】
【０００４】
請求項１記載の発明は、画像表示装置であって、少なくとも一つの文字の画像を含む画像情報を、処理の対象として受け入れる受入手段と、前記受け入れた画像情報に含まれる文字の大きさを検出する検出手段と、前記画像情報のうち、少なくとも一部を表示対象画像として抽出する抽出手段と、前記抽出された表示対象画像に含まれる文字の大きさと、前記検出手段により検出された文字の大きさの情報と、予め定められた文字の大きさの範囲の情報とに基づいて、拡大縮小率を決定する決定手段と、前記決定手段で決定された拡大縮小率で、前記抽出された表示対象画像を拡大縮小して表示する表示手段と、を含むこととしたものである。
【０００５】
請求項２記載の発明は、請求項１記載の画像表示装置であって、前記決定手段は、前記検出手段で検出された文字の大きさの最頻値を演算し、当該最頻値が、前記予め定められた文字の大きさの範囲に含まれる、予め定められた標準値となるよう、前記拡大縮小率を決定することとしたものである。
【０００６】
請求項３記載の発明は、請求項１または２記載の画像表示装置であって、前記決定手段は、拡大表示の指示を受けて、前記予め定められた文字の大きさの範囲の下限値を、より大きい値に補正して、前記範囲を変更することとしたものである。
【０００７】
請求項４記載の発明は、請求項１から３のいずれか一項に記載の画像表示装置であって、前記決定手段は、拡大縮小率を変更する指示を受けて、前記表示されている画像に含まれる文字の大きさに基づき、前記予め定められた文字の大きさの範囲の上限値または下限値のいずれかを補正の対象として定め、当該補正の対象と定めた前記範囲の上限値または下限値を変更して、前記範囲を変更することとしたものである。
【０００８】
請求項５記載の発明は、プログラムであって、コンピュータを、少なくとも一つの文字の画像を含む画像情報を、処理の対象として受け入れる受入手段と、前記受け入れた画像情報に含まれる文字の大きさを検出する検出手段と、前記画像情報のうち、少なくとも一部を表示対象画像として抽出する抽出手段と、前記抽出された表示対象画像に含まれる文字の大きさと、前記検出手段により検出された文字の大きさの情報と、予め定められた文字の大きさの範囲の情報とに基づいて、拡大縮小率を決定する決定手段と、前記決定手段で決定された拡大縮小率で、前記抽出された表示対象画像を拡大縮小して表示する表示手段と、として機能させることとしたものである。
【発明の効果】
【０００９】
請求項１，５記載の発明によると、画像の全体に含まれる各文字の大小関係は維持しつつ、表示時の拡大縮小率を変更できる。
【００１０】
請求項２記載の発明によると、検出された文字の大きさの最頻値が、予め定められた文字の大きさの範囲に含まれる、予め定められた標準値となるよう、拡大縮小率を決定できる。
【００１１】
請求項３記載の発明によると、予め定められた文字の大きさの範囲の下限値を、より大きい値に補正して、範囲を変更できる。
【００１２】
請求項４記載の発明によると、予め定められた文字の大きさの範囲の上限値または下限値のいずれかを補正の対象として定め、当該補正の対象と定めた範囲の上限値または下限値を変更して、範囲を変更できる。
【発明を実施するための最良の形態】
【００１３】
本発明の実施の形態について図面を参照しながら説明する。本発明の実施の形態に係る画像表示装置１は、図１に例示するように、制御部１１と、記憶部１２と、操作部１３と、表示部１４とを含んで構成される。
【００１４】
制御部１１は、ＣＰＵ（Central Processing Unit）等のプログラム制御デバイスであり、記憶部１２に格納されているプログラムに従って動作する。この制御部１１は、少なくとも一つの文字画像を含むビットマップの画像情報を、処理の対象として受け入れ、受け入れた画像情報の全体に含まれる文字の大きさ（文字サイズ）を検出する。また、この制御部１１は、表示の対象となる画像情報の少なくとも一部を抽出し、当該抽出した部分に含まれる文字の大きさ（文字サイズ）の情報と、画像情報の全体に含まれる文字サイズと、予め定められた文字の大きさの範囲の情報とに基づいて拡大縮小率を決定し、当該決定した拡大縮小率で、画像情報の少なくとも一部を、拡大縮小して表示する。この制御部１１の詳しい処理の内容については、後に述べる。
【００１５】
記憶部１２は、ＲＡＭ（Random Access Memory）等のメモリデバイスを含んで構成される。また、この記憶部１２には、不揮発性のメモリデバイスや、ディスクデバイスなどを含んでもよい。この記憶部１２には、制御部１１によって実行されるプログラムが保持される。このプログラムは、ＤＶＤ−ＲＯＭ（Digital Versatile Disc-Read Only Memory）等のコンピュータ可読な記録媒体に格納されて提供され、この記憶部１２に複写されたものであってもよい。さらに、この記憶部１２は、制御部１１のワークメモリとしても動作する。
【００１６】
操作部１３は、キーボードやテンキー、マウスなどであり、利用者からの指示の入力を受けて、当該指示を制御部１１に出力する。表示部１４は、液晶ディスプレイなどであり、制御部１１から入力される指示に従って情報を表示する。
【００１７】
また、本実施の形態の画像表示装置１は、ネットワークカードなどの通信手段や、半導体メモリなどの可搬型メモリデバイスから情報を読み出す手段などを備え、これらから表示の対象となる画像情報などを受け入れてもよい。
【００１８】
本実施の形態において制御部１１は、処理の対象となった画像情報に対してレイアウト解析の処理を実行し、少なくとも一つの文字の領域を画定する。例えば、制御部１１は、処理の対象となった画像情報を二値化し、連続する黒画素の塊（有意画素の塊、以下、画素塊という）を検出する。そして各画素塊に外接する外接矩形の情報を生成する。
【００１９】
本実施の形態において処理の対象となる画像情報は、一般的には図２に例示するように、文字列を含んだ少なくとも一つの画像要素を含むものとする。ここで画像要素は、以下に説明するように、画像の単位であり、例えば有意な画素に外接する外接矩形を予め定めた条件でグループ化したものであってもよいし、描画コマンドで描画される画像の場合は、一群の描画コマンドで描画される画像のグループであってもよい。
【００２０】
次に制御部１１の処理の具体的な内容について説明する。制御部１１は、機能的には、図３に例示するように、受入部２１と、文字サイズ検出部２２と、拡大縮小率マッピング部２３と、表示制御部２４と、拡大縮小率決定部２５と、出力部２６とを含んで構成されている。
【００２１】
受入部２１は、ビットマップの画像情報を受け入れて、処理の対象として記憶部１２に保持する。文字サイズ検出部２２は、記憶部１２に保持された処理の対象である画像情報について、レイアウト解析の処理を実行して、有意な画素塊に外接する外接矩形を検出する。この文字サイズ検出部２２は、検出した外接矩形の情報（外接矩形を特定する座標情報）の各々にそれぞれ固有の識別情報（外接矩形識別子）を関連づけて、記憶部１２に格納する。
【００２２】
さらに、文字サイズ検出部２２は、検出した各外接矩形の情報を参照し、予め定めた距離よりも近い距離にある一対の外接矩形同士に共通のグループ識別子を関連づける。また、いずれかの外接矩形に内包される他の外接矩形がある場合は、当該他の外接矩形と、それを内包する外接矩形とに共通のグループ識別子を関連づける。そしてグループ化するべき外接矩形がなくなるまで上述のグループ化の処理を繰り返した後、互いに異なるグループ識別子ごとに、共通するグループ識別子に関連づけられている外接矩形群にさらに外接する外接矩形（画像要素外接矩形）を画定する。そして当該画定した画像要素外接矩形を特定する座標情報と、各画像要素外接矩形に固有な画像要素識別子とを関連づけて、画像要素データベースとして記憶部１２に格納する。こうして枠線で囲まれた部分は一つの画像要素として識別され、また、文字列が配列されている部分は、文字領域として一つの画像要素として識別されることとなる。なお、このような処理はレイアウト解析処理として広く知られた処理を採用してもよい。
【００２３】
また、文字サイズ検出部２２は、検出した外接矩形のうち、予め定めた条件に合致するものを文字の画像に外接する矩形（文字矩形）として、当該文字矩形のサイズに基づいて文字サイズを検出する。一例として、この文字サイズ検出部２２は、レイアウト解析の処理において検出した外接矩形のうち、その面積が予め定めた面積しきい値より小さく、また外接矩形内の黒画素（有意画素）の密度（有意画素の数を、外接矩形内の全画素数で除した値）が予め定めた密度しきい値より小さい等の条件を満足する外接矩形内の画素塊を、文字を表す画素と判断し、当該外接矩形のサイズ（縦横の画素数のうち大きい方の値）を文字サイズとして検出する。文字サイズ検出部２２は、検出した文字サイズのリストを、文字サイズデータベースとして記憶部１２に蓄積して格納する。このように文字の含まれる外接矩形を見い出す方法は他にもあるが、いかなる方法を用いても構わない。
【００２４】
拡大縮小率マッピング部２３は、文字サイズデータベースを参照して、処理の対象となった画像情報の全体に含まれる文字のサイズの情報を取得し、そのうち最大の文字サイズを表す値（最大値Ｘmax）と、最小の文字サイズを表す値（最小値Ｘmin）とを見いだす。そして拡大縮小率マッピング部２３は、予め定めた文字の大きさの範囲の上限の目標値Ｙmaxと、下限値Ｙminとを用いて、スケール率β＝（Ｙmax−Ｙmin）／（Ｘmax−Ｘmin）を算出する。
【００２５】
表示制御部２４は、利用者の指示等により、画像情報の少なくとも一部を表示の対象として抽出する。拡大縮小率決定部２５は、抽出された表示の対象に含まれる画像要素を検出する。すなわち表示の対象となった座標の範囲に少なくとも一部が重なり合う画像要素外接矩形を画像要素データベースから抽出する。
【００２６】
そして拡大縮小率決定部２５は、画像要素データベースから抽出した画像要素外接矩形が取り囲む画像要素ごとに、当該画像要素に含まれる文字矩形のサイズと、スケール率βとに基づいて拡大縮小率を定める。具体的には、注目する画像要素（拡大縮小率の演算の対象となる画像要素）に含まれる文字矩形のサイズのうち一つを代表サイズＸとして選択し、拡大縮小率Ｓを、先の下限値Ｙminと、画像情報の全体に含まれる文字サイズの最小値Ｘminとを用いて、
Ｓ＝（Ｙmin＋（Ｘ−Ｘmin）×β）／Ｘ
と定める。
【００２７】
ここで代表サイズＸは、注目する画像要素に含まれる文字矩形のサイズのうち、利用者の注視する文字の文字矩形のサイズとしてもよい。その場合、文字列の読み順で最初の文字の文字矩形のサイズや、利用者により指定された点・領域を含む文字矩形のサイズを代表サイズＸとして用いるのが好適である。ここで、文字列の読み順で最初の文字とは、例えば、左から右に読み下に改行する場合は最も左上の文字であり、また例えば、上から下に読み左に改行する場合は最も右上の文字である。
また、代表サイズＸは、最も出現頻度の高いサイズとしてもよいし、注目する画像要素に含まれる文字矩形のサイズの最小値と最大値との平均、または中間値など、注目する画像要素に含まれる文字矩形のサイズを用いた統計演算により求められる値（現実にその値に対応するサイズの文字が注目する画像要素に含まれていなくてもよい）としてもよい。
【００２８】
出力部２６は、表示制御部２４が抽出した表示の対象に含まれる画像要素ごとに、拡大縮小率決定部２５で決定された拡大縮小率Ｓで拡大縮小処理し、表示部１４に表示出力する。ここで表示制御部２４が抽出した表示の対象に複数の画像要素が含まれる場合、出力部２６は、当該複数の画像要素の各々について決定した拡大縮小率のうち、最大の値Ｓmaxを取り出して、例えば各画像要素の左上隅座標をＳmax倍した位置に各画像要素を配して表示することとしてもよい。抽出した表示の対象に複数の画像要素が含まれる場合、表示の対象に含まれる部分の面積が最大となっている画像要素について選択的に表示を行ってもよい。つまり、この場合、面積が最大となっていない画像要素については表示を行わないよう制御してもよい。
【００２９】
本実施の形態は以上のように構成されているので、次のように動作する。以下では、図２に例示したような画像情報（幅１０５２画素×高さ７１４画素）を処理の対象として、表示部１４が幅２４０画素×高さ３００画素である場合を例として説明する。
【００３０】
図２に示した例では、表題部Ｒ１（含まれる文字サイズは７７画素（ｐｘ））や、枠線で囲まれた文章部Ｒ２〜Ｒ５（含まれる文字サイズは３１画素）、図表が描かれた部分Ｒ６〜Ｒ９（含まれる最小の文字サイズは２２画素）等、複数の画像要素が含まれている。本実施の形態の画像表示装置１は、表示処理を開始する指示を受けると、図４に示す処理を開始し、各部に含まれる文字の大きさを検出して、文字サイズのリスト（文字サイズデータベース）を生成する（Ｓ１）。
【００３１】
画像表示装置１は、この文字サイズのリストから、最小値Ｘmin（ここでは２２画素）と、最大値Ｘmax（ここでは７７画素）とを見いだす（Ｓ２）。そして、予め定めた文字の大きさの範囲の上限の目標値Ｙmax＝２６画素と、下限値Ｙmin＝１０画素とを用いて、スケール率β＝（Ｙmax−Ｙmin）／（Ｘmax−Ｘmin）を算出する（Ｓ３）。ここではβ＝１６／５５＝0.29となる。
【００３２】
次に、画像情報のうち、表示部１４に表示する画像の一部を抽出する。当初は、画像情報の左上隅部分、２４０×３００画素の領域を抽出する（Ｓ４）。ここには表題部Ｒ１と、文章部Ｒ２とが含まれる。画像表示装置１は、個々の画像要素について拡大縮小率ＳR1、ＳR2を演算する（Ｓ５）。そして各画像要素について、演算した拡大縮小率で拡大縮小した画像を生成する（Ｓ６）。
【００３３】
すなわち、表題部Ｒ１の画像要素については、７７画素の文字が含まれるのみであるので、代表サイズＸ＝７７として、この画像要素の拡大縮小率ＳR1を、
ＳR1＝（１０＋（７７−２２）×０．２９）／７７
と算出する。そして画像表示装置１は、表題部Ｒ１の画像要素を、ＳR1＝２６／７７〜０．３４倍に縮小した画像を生成する。
【００３４】
また、画像表示装置１は、文章部Ｒ２の画像要素については、７７画素の文字と３１画素の文字とが含まれているが、この画像要素における文字サイズの最頻値は３１画素であるので、代表サイズＸ＝３１画素とする。画像表示装置１は、この文章部Ｒ２の拡大縮小率ＳR2を
ＳR2＝（１０＋（３１−２２）×０．２９）／３１
と算出する。そして、画像表示装置１は、文章部Ｒ２の画像要素を、ＳR2＝１２．６１／３１〜０．４１倍に縮小した画像を生成する。
【００３５】
そして画像表示装置１は、これらのうち最大の拡大縮小率ＳR2倍を検出し、各画像要素の配置位置（左上隅の座標など）を拡大縮小率ＳR2倍して、表題部Ｒ１と、文章部Ｒ２とをそれぞれ配列して表示部１４に表示出力する（Ｓ７）。
【００３６】
図５に比較例として従来の技術で拡大縮小を行った例（ａ）と、本実施の形態の画像表示装置１の表示例（ｂ）とを例示する。従来の技術においては、各画像要素について、画像要素内の文字サイズのみに基づいて拡大縮小率を定めるので、どの画像要素内の文字についても同じサイズ（例えば１６画素）で表示されることとなる。
【００３７】
これに対して、本実施の形態の画像表示装置１の表示例では、画像情報の全体に含まれる文字サイズの分布に配慮して、各画像要素の拡大縮小率を定めているので、表題部Ｒ１については２６画素の文字、文章部Ｒ２においてはそのうち７７画素の文字であった部分については３２画素（［７７×０．４１］）、３１画素の文字であった部分については１３画素（［１２．６１］）に縮小して表示されることとなる。ここで、［＊］は、括弧内部の数値にもっとも近い整数値とすることを意味する。ただし、この演算はもっとも近い整数値にすることに代えて、小数点以下を切り捨てまたは切り上げてもよいし、０．５画素単位にもっとも近い値に設定することとしても構わない。
【００３８】
なお、ここでは画像要素を、外接矩形間の距離に基づくなどして定める例としたために、文章部Ｒ２において複数の文字サイズの文字矩形が含まれている。しかしながら本実施の形態の画像表示装置１は、画像要素を定めるにあたり、外接矩形間の距離だけでなく、外接矩形のサイズの比が「１」から予め定めた比しきい値の範囲にある場合に共通のグループ識別子を関連づけることとすれば、互いに共通する文字サイズの文字矩形ごとに画像要素を抽出できる。図２に例示した画像情報について、この例のように互いに共通する文字サイズの文字矩形ごとに画像要素を抽出すれば、文章部Ｒ２は、題字部分（７７画素の文字部分）と、本文部分（３１画素の文字部分）とで互いに異なる画像要素として処理されることとなり、それぞれの題字部分の文字が２６画素、本文部分の文字が１３画素として表示されることとなる。さらにここまでの説明では、画像要素ごとに拡大縮小率を定めたが、表示の対象として抽出された画像部分に含まれる文字矩形ごとに拡大縮小率を定めてもよい。
【００３９】
［スケール率算出の別の例］
また、ここまでの例においては、画像情報全体に含まれる文字のサイズに従って、図６に例示するように、この文字サイズの範囲（Ｘmin〜Ｘmax）を、予め定めた範囲（Ｙmin〜Ｙmax）に一致させるようスケール率を定めていたが、スケール率の算出はこれに限られるものではない。
【００４０】
例えば画像表示装置１の制御部１１は、画像情報から検出した文字サイズのリスト（文字サイズデータベース）を参照して、文字サイズの最頻値（文字サイズデータベース内に含まれる文字サイズのうち、もっとも出現回数の多い文字サイズ）を演算する。そして演算した最頻値Ｘmが、予め定めた範囲（Ｙmin〜Ｙmax）に含まれる、予め定められた標準値Ｙnormalになるように、スケール率を定めてもよい。
【００４１】
一例として制御部１１は、標準値Ｙnormalとして、予め定めた範囲（Ｙmin〜Ｙmax）の中間値（Ｙnormal＝（Ｙmin＋Ｙmax）／２）を採用する。そして、文字サイズの最小値Ｘminから最頻値Ｘmまでを、ＹminからＹnormalまでの範囲に分布させるよう、下区間スケール率βLを演算する。すなわち制御部１１は、
βL＝Ｙmin＋（Ｘ−Ｘmin）×（Ｙnormal−Ｙmin）／（Ｘm−Ｘmin）
とする。また、文字サイズの最頻値Ｘmから最大値Ｘmaxまでを、ＹnormalからＹmaxまでの範囲に分布させるよう、上区間スケール率βUを演算する。すなわち制御部１１は、
βU＝Ｙnormal＋（Ｘ−Ｘｍ）×（Ｙmax−Ｙnormal）／（Ｘmax−Ｘm）
とする（図７）。
【００４２】
この例では、制御部１１は、拡大縮小の対象となる画像要素から見いだされる代表サイズＸ（または、個々の文字矩形を拡大縮小する場合は、拡大縮小しようとする文字矩形のサイズＸ）が、最頻値Ｘmより低いか否かを判断し、最頻値Ｘmより低い場合は、拡大縮小率Ｓを、
Ｓ＝βL／Ｘ
と定める。また、最頻値Ｘmより低くない場合は、拡大縮小率Ｓを、
Ｓ＝βU／Ｘ
と定める。
【００４３】
［下限値の補正］
また、制御部１１は、例えば利用者から拡大表示の指示を受けると、予め定められているＹminの値をより大きな値に補正する。例えばＹminの値に予め定められたΔＹの値を加算して、新たなＹminの値とする。そしてスケール率β（上区間と下区間とに分ける場合は下区間のβLのみでもよい）を再演算し、拡大縮小率を再度演算して、再演算した拡大縮小率で拡大・縮小した画像要素を表示する。
【００４４】
［拡大縮小率の変更指示］
さらに、制御部１１は、例えば利用者から縮小表示の指示を受けると、現在表示されている画像に含まれる文字の大きさを検出する。例えば制御部１１は、表示されている画像要素の代表サイズ（表示されている画像要素に含まれる文字サイズの最頻値などでよい）を参照して、当該代表サイズが予め定めた範囲の中間値（Ｙmid＝（Ｙmin＋Ｙmax）／２）など、予め定めた値を超えているか否かを調べる。ここで、代表サイズが予め定めた値を超えている場合は、上限値Ｙmaxを小さく補正する。また、代表サイズが予め定めた値を超えていない場合は、下限値Ｙminを小さく補正する。
【００４５】
［描画コマンドによる場合］
また、以上の説明では、処理の対象となる画像情報がビットマップの画像である場合を例として説明したが、画像情報は、ポストスクリプト（登録商標）やＰＤＦ（Portable Document Format）等の描画コマンドで描画されるものであってもよい。描画コマンドにより特定される場合、本実施の形態の画像表示装置１の制御部１１は、各文字のサイズを、描画コマンドに基づいて取得する。
【図面の簡単な説明】
【００４６】
【図１】本発明の実施の形態に係る画像表示装置の例を表す構成ブロック図である。
【図２】本発明の実施の形態に係る画像表示装置が処理の対象とする画像情報の例を表す説明図である。
【図３】本発明の実施の形態に係る画像表示装置の例を表す機能ブロック図である。
【図４】本発明の実施の形態に係る画像表示装置の動作例を表すフローチャート図である。
【図５】本発明の実施の形態に係る画像表示装置における表示例を表す説明図である。
【図６】本発明の実施の形態に係る画像表示装置における文字サイズと予め定めた区間と拡大縮小率との関係の例を表す説明図である。
【図７】本発明の実施の形態に係る画像表示装置における文字サイズと予め定めた区間と拡大縮小率との関係の別の例を表す説明図である。
【符号の説明】
【００４７】
１  画像表示装置、１１  制御部、１２  記憶部、１３  操作部、１４  表示部、２１  受入部、２２  文字サイズ検出部、２３  拡大縮小率マッピング部、２４  表示制御部、２５  拡大縮小率決定部、２６  出力部。
【図１】
2010108389.tif 000003
【図２】
2010108389.tif 000004
【図３】
2010108389.tif 000005
【図４】
2010108389.tif 000006
【図５】
2010108389.tif 000007
【図６】
2010108389.tif 000008
【図７】
2010108389.tif 000009